(57)【要約】【課題】ユーザが予約したＴＶ番組の録画に関し、確実に連続的な録画を可能にするための、ＴＶ番組の録画方法、およびその番組の再生方法を提供する。【解決手段】ローカルエリアネットワーク２０に接続されたサーバＰＣ１０デジタルレコーダ３０は、録画に関する情報を共有することにより、デジタルレコーダ３０Ａの録画中に容量不足が予想された場合に、デジタルレコーダ３０Ａで実行された録画の情報をサーバＰＣ１０へ送付し、引き続きデジタルレコーダ３０Ｂへデジタルレコーダ３０Ａで実行していた条件を送信、設定し、録画を継続する。その際、再生時に未録画部分が発生しないようにデジタルレコーダ３０Ｂの録画を早めに開始する。その後、録画済み番組をデジタルレコーダ３０Ｃにて再生する場合、サーバＰＣ１０から録画されている機器、再生時間等の情報を取得し、その情報を基に再生を実行する。【選択図】図１
2009100396.tif 000002
【特許請求の範囲】
【請求項１】
第１の録画機器で番組を録画する第１の録画ステップと、第１の録画ステップで録画実行中、所定時間（ｔ）後に記録領域が不足することを検出した状態において、残り必要な録画時間、録画を安全に実行するためのマージン時間（A）、録画開始時間（ｔ―Ａ）、録画チャンネル番号、該第１の録画機器を特定する情報、及び次に録画される機器を特定する情報から成る録画継続情報を生成する情報生成ステップと、前記情報生成ステップで生成された情報を継続し録画を実行する第２の録画機器へ通知する第１の通知ステップと、前記第１の通知ステップで通知された情報に基づいて、録画開始時間から第２の録画機器で番組の録画を実行する第２の録画ステップと、サーバＰＣへ前記情報生成ステップで生成された情報を通知する第２の通知ステップを有することを特徴とする録画方法。
【請求項２】
請求項１に記載の録画方法にて、録画された番組を再生する場合に、前記第２の通知ステップで通知された情報をサーバＰＣから取得する取得ステップと、前記取得ステップで取得された情報を基に、該第１の録画機器に記録されている番組の再生を開始する第１の再生ステップと、前記第１の再生ステップで番組を再生中に、前記取得ステップで取得された録画開始時間（ｔ―Ａ）に、該第２の録画機器に記録されている番組の再生を開始し、所定時間（ｔ）に第２の録画機器の再生画像に切り替える第２の再生ステップとをさらに有することを特徴とする録画再生方法。
【請求項３】
請求項１に記載の録画方法で録画を行う録画システム。
【請求項４】
請求項２に記載の録画再生方法で録画再生を行う録画再生システム。
【請求項５】
請求項１または請求項２のいずれかの請求項に記載の録画または録画再生方法を実行させるプログラム。
【請求項６】
請求項５に記載したプログラムを記録した媒体。
【発明の詳細な説明】
【技術分野】
【０００１】
本発明は、ユーザが登録したＴＶ番組の録画予約を確実に実行し、その録画番組を再生する方法に関するものである。
【背景技術】
【０００２】
近年、デジタルテレビジョン放送が高画質・大容量化しているため録画予約時に容量の不足が予測される場合は、ネットワークに接続されている他の録画機器に録画予約を登録し、録画の失敗を防いでいる（例えば、特許文献１）。
【特許文献１】特開２００５−２２３７３６号公報
【発明の開示】
【発明が解決しようとする課題】
【０００３】
しかしながら、上記従来例による場合、ユーザが録画予約を登録した後に、他の番組を録画したり、画像／音楽データなどを追加保存したりするといった他の要因により、当該の録画を実行するための容量が不足し、録画が途中で失敗してしまうという問題がある。
また、録画が正常に実施された場合も、その録画済み番組を再生するために当該の録画再生機器へユーザが移動する必要がある。
【課題を解決するための手段】
【０００４】
上記課題を解決するために、本発明のシステムは、ネットワークに接続されているサーバＰＣ及び複数の録画／再生可能機器を利用し、録画実施中に記録容量が不足することを検出した場合、ネットワークに接続されていて、即時録画が可能な他の録画機器を検索し、録画に関する引継ぎ情報を通知し、録画処理を切り替え完了する。録画機器を切り替える際に、録画に関する情報を統括するサーバＰＣへ通知、格納され、再生時にそれらの情報をサーバＰＣから一括し取り出し、その情報を基に再生する。
【発明の効果】
【０００５】
本発明の示す方法は、操作者が録画機器の残容量を意識することなく、所望する画質にて録画を実行でき、また、再生時にネットワークに接続されている再生可能機器ならば、どの機器からも分散録画されていることを意識することなく再生が可能となる利点がある。
【発明を実施するための最良の形態】
【０００６】
（実施の形態）
以下、図面と共に本発明の実施形態を詳細に説明する。
【０００７】
図１は、本発明のシステムの構成図である。同図は、デジタルテレビジョンの録画／再生を行うデジタルレコーダ３０Ａ〜３０Ｃ、分散された録画の継続情報が各録画機器より通知、保存され、各機器からの再生情報取の得要求に対し返信するためのサーバＰＣ１０より構成されている。
【０００８】
以下に、図面を用いて、本発明の録画の継続情報を作成するための動作を説明する。図２は、録画の継続情報の構造である。図３は、録画／再生に関わるタイミングを示すものである。図４は、本発明のネットワーク録画方法における一実施例の動作を示すフローを表す図である。図中のＳ１〜Ｓ５はステップを表す。デジタルレコーダにおいて事前に登録された録画が実行中に、事前に設定された録画画質と残り録画時間から計算し、あらかじめ設定されている容量まで残容量が到達した場合、時間（ｔ）後に録画継続は困難と判断する（ステップ１）。ネットワーク上から引き続き録画を行うデジタルレコーダを探索する（ステップ２）。直前に録画していたデジタルレコーダを特定するＩＤ、探索された他のデジタルレコーダへ録画の継続性を維持するためのマージン時間（Ａ）を含んだ録画開始時間（ｔ−Ａ）、録画画質、録画残り時間、チャンネル番号、引き続き録画を行うデジタルレコーダを特定するＩＤから継続情報を作成する（ステップ３）。（ステップ３）で作成された情報を（ステップ２）で探索されたデジタルレコーダへ送信する（ステップ４）。また、（ステップ３）で作成された情報をネットワーク上に接続されたサーバＰＣ１０へも送信する（ステップ５）。
【０００９】
以降、登録された録画が完了するまで（ステップ１）から（ステップ５）を繰り返し実行する。
【００１０】
図５は、本発明のネットワーク再生方法における一実施例の動作を示すフローを表す図である。図中のＳ１〜Ｓ５はステップを表す。
【００１１】
図４の（ステップ１）から（ステップ５）において、録画された番組を再生する場合、ネットワーク上に接続された再生可能機器からサーバＰＣ１０へアクセスし、録画番組情報を取得する（ステップ１）。操作者が、再生したい番組を選択すると、その番組に関する継続情報を一括し、取得する（ステップ２）。継続情報の先頭テーブルに記述されている直前に録画していたデジタルレコーダのＩＤから当該デジタルレコーダへアクセスし、録画データの再生を開始する（ステップ３）。再生開始後、録画開始時間（ｔ−Ａ）になった時点で、継続情報先頭のテーブルに記述されている引き続き録画を行うデジタルレコーダを特定するＩＤから当該デジタルレコーダへ継続情報２番目のテーブルを送信し、再生を開始するように通知する（ステップ４）。その後、再生開始後、時間（ｔ）に達しした時点で引き続き録画を行うデジタルレコーダを特定するＩＤで特定されるデジタルレコーダからの映像および音声の出力に切り替える（ステップ５）。
【００１２】
以降、再生が完了するまで（ステップ１）から（ステップ５）を繰り返し実行する。
【産業上の利用可能性】
【００１３】
家庭内ネットワーク内にあるデジタルレコーダおよびコンピュータシステム内に格納されたデジタルコンテンツの格納場所を意識することなく、全ての機器から取得または閲覧が可能となる用途にも適用できる。
【図面の簡単な説明】
【００１４】
【図１】本発明の実施形態を説明するための、システム構成図
【図２】録画継続構造を示す図
【図３】録画、再生に関わるタイミングを示す図
【図４】本発明の実施の形態におけるネットワーク録画の動作を示すフローチャート
【図５】本発明の実施の形態におけるネットワーク再生の動作を示すフローチャート
【符号の説明】
【００１５】
１０    サーバＰＣ
２０    ローカルエリアネットワーク
３０Ａ、３０Ｂ、３０Ｃ    デジタルレコーダ
【図１】
2009100396.tif 000003
【図２】
2009100396.tif 000004
【図３】
2009100396.tif 000005
【図４】
2009100396.tif 000006
【図５】
2009100396.tif 000007